(57)【要約】      （修正有）【課題】ＱＲコード（登録商標）を通じて実物コンテンツ商品の購買を認証し、ＱＲコード（登録商標）に対応するコンテンツをユーザの端末にストリーミングするコンテンツストリーミングサービスを提供することにある。【解決手段】本発明は、実物コンテンツ商品にプリントされたＱＲコード（登録商標）のスキャンデータをユーザ端末から受信する段階と、スキャンデータを基に実物コンテンツ商品の購買を認証し、ユーザ端末の固有情報をサーバに登録する購買認証段階と、ユーザ端末の保有コンテンツリストにスキャンデータに相応するコンテンツを登録する段階と、ユーザ端末から保有コンテンツリストに登録されたコンテンツのストリーミング要請を受信する段階と、受信要請されたコンテンツのストリーミングデータをユーザ端末に伝送する段階とを含み、ストリーミングされるコンテンツは、実物コンテンツ商品よりも高画質に提供されることを特徴とする。【選択図】図１
2019191877.tif 000002
【特許請求の範囲】
【請求項１】
コンピュータにより実現される方法であって、
サーバが実物コンテンツ商品にプリントされたＱＲコード（登録商標）のスキャンデータをユーザ端末から受信する段階と、
前記サーバが前記スキャンデータを基にユーザの前記実物コンテンツ商品の購買を認証し、前記スキャンデータを伝送したユーザ端末の固有情報をサーバに登録する購買認証段階と、
前記サーバがユーザ端末の保有コンテンツリストに前記スキャンデータに相応するコンテンツを登録する段階と、
前記サーバが前記ユーザ端末から前記保有コンテンツリストに登録されたコンテンツのストリーミング要請を受信する段階と、
前記サーバが前記受信要請されたコンテンツのストリーミングデータを前記ユーザ端末に伝送する段階とを含み、
前記ユーザ端末にストリーミングされるコンテンツは、前記実物コンテンツ商品の記録媒体に格納されたコンテンツよりも高画質に提供されることを特徴とする、ＱＲコード（登録商標）を用いてコンテンツストリーミングサービスを提供し、ユーザのデータ統計を管理する方法。
【請求項２】
前記サーバがユーザの前記実物コンテンツ商品の購買を認証した時点から所定時間が経過した後、前記ユーザ端末にログインされたユーザアカウントが有料会員アカウントである場合、前記保有コンテンツリストをストリーミング可能状態に維持し、前記ユーザアカウントが無料会員アカウントである場合、前記保有コンテンツリストをストリーミング不可能状態へ切り替える段階を更に含むことを特徴とする請求項１に記載のＱＲコード（登録商標）を用いてコンテンツストリーミングサービスを提供し、ユーザのデータ統計を管理する方法。
【請求項３】
前記サーバが前記ユーザ端末にログインされた前記ユーザアカウントが有料会員アカウントである場合、前記ユーザ端末の保有コンテンツリストに有料会員用コンテンツを追加的に登録する段階を更に含むことを特徴とする請求項２に記載のＱＲコード（登録商標）を用いてコンテンツストリーミングサービスを提供し、ユーザのデータ統計を管理する方法。
【請求項４】
前記サーバが前記実物コンテンツ商品の購買を認証したユーザアカウントのプロファイル情報、前記実物コンテンツ商品の情報、コンテンツのストリーミングを要請したユーザアカウントのプロファイル情報、及び前記ストリーミングを要請したコンテンツの情報を収集し、ビッグデータ格納場所に格納する段階を更に含むことを特徴とする請求項１に記載のＱＲコード（登録商標）を用いてコンテンツストリーミングサービスを提供し、ユーザのデータ統計を管理する方法。
【請求項５】
前記サーバが前記ビッグデータ格納場所に格納された情報を分析し、コンテンツ消費傾向に関する統計情報を生成する段階を更に含むことを特徴とする請求項４に記載のＱＲコード（登録商標）を用いてコンテンツストリーミングサービスを提供し、ユーザのデータ統計を管理する方法。
【請求項６】
前記ＱＲコード（登録商標）は、前記実物コンテンツ商品のパッケージ内部又は記録媒体の少なくとも１つの面にプリントされたことを特徴とする請求項１に記載のＱＲコード（登録商標）を用いてコンテンツストリーミングサービスを提供し、ユーザのデータ統計を管理する方法。
【請求項７】
前記コンテンツはテキスト、音声、イメージ又は映像のうち１つ以上のデータを含んで構成されることを特徴とする請求項１に記載のＱＲコード（登録商標）を用いてコンテンツストリーミングサービスを提供し、ユーザのデータ統計を管理する方法。
【請求項８】
コンピュータと結合され、請求項１〜請求項７の何れか１項に記載の方法を用いてコンテンツストリーミングサービスを提供し、ユーザのデータ統計を管理する方法を実行するためにコンピュータ読み取り可能な記録媒体に格納されたコンピュータプログラム。
【発明の詳細な説明】
【技術分野】
【０００１】
本発明はコンテンツストリーミングに関し、より詳細には、ＱＲコード（登録商標）を用いてコンテンツストリーミングサービスを提供し、ユーザのデータ統計を管理する方法及びプログラムに関する。
【背景技術】
【０００２】
従来は、歌手らの音盤がＬＰ（Ｌｏｎｇ Ｐｌａｙｉｎｇ）レコード又はカセットテープの形態で発売されていた。そして、現在はＣＤ（Ｃｏｍｐａｃｔ Ｄｉｓｃ）、ＤＶＤ（Ｄｉｇｉｔａｌ Ｖｉｄｅｏ Ｄｉｓｃ）、ブルーレイ（Ｂｌｕ-ｒａｙ（登録商標））ディスクなどのような光ディスク状、又はＭＰ３プレーヤやコンピュータ、スマートフォンなどを通じて再生可能なデジタルファイル状の音盤が発売されている。
【０００３】
特に、ＤＶＤのような光ディスクは、音声以外に映像又はその他の多様なタイプの高容量のデータを格納することができることから、脚光を浴びている。これにより、近年は歌手らのミュージックビデオ映像、コンサート映像、画報、インタビューなど多様なコンテンツが光ディスクに格納された形態で多く販売されている。
【０００４】
一方、近年、ディスプレイの解像度が急激に向上し、高画質に対する評価基準が上方修正されることにより、ＤＶＤが提供する解像度では消費者を満足させることができないのが現状である。また、スマートフォンのようなモバイルデバイスではＤＶＤを再生することができず、いつでもどこでも光ディスクに格納されたコンテンツを楽しむことは制限が伴う。特に、光ディスクに格納されたコンテンツは、いくらでも他のデバイスや媒体にダウンロード及びコピーされることができ、不正コピーと流通に脆弱であるという問題もある。
【発明の開示】
【発明が解決しようとする課題】
【０００５】
そこで、本発明は上記事情に鑑みてなされたものであって、その目的は、ＱＲコード（登録商標）を通じて実物コンテンツ商品の購買を認証し、該当ＱＲコード（登録商標）に対応するコンテンツをユーザの端末にストリーミングするＱＲコード（登録商標）を用いてコンテンツストリーミングサービスを提供し、ユーザのデータ統計を管理する方法を提供することにある。
【０００６】
また、本発明の他の目的は、ユーザ端末を介して実物コンテンツ商品よりも高画質のコンテンツをストリーミングするＱＲコード（登録商標）を用いてコンテンツストリーミングサービスを提供し、ユーザのデータ統計を管理する方法を提供することにある。
【０００７】
更に、本発明の別の目的は、購買を認証したユーザ端末の固有情報を格納し、１個のＱＲコード（登録商標）当たり１個の端末のみ認証可能にするＱＲコード（登録商標）を用いてコンテンツストリーミングサービスを提供し、ユーザのデータ統計を管理する方法を提供することにある。
【０００８】
本発明が解決しようとする課題は、以上で言及された課題に制限されず、言及されていない他の課題は、以下の記載から通常の技術者が明確に理解できるはずである。
【課題を解決するための手段】
【０００９】
前述した課題を解決するための本発明の一実施形態に係るＱＲコード（登録商標）を用いてコンテンツストリーミングサービスを提供する方法は、コンピュータにより実現される方法であって、サーバが実物コンテンツ商品にプリントされたＱＲコード（登録商標）のスキャンデータをユーザ端末から受信する段階と、前記サーバが前記スキャンデータを基にユーザの前記実物コンテンツ商品の購買を認証し、前記スキャンデータを伝送したユーザ端末の固有情報をサーバに登録する購買認証段階と、前記サーバがユーザ端末の保有コンテンツリストに前記スキャンデータに相応するコンテンツを登録する段階と、前記サーバが前記ユーザ端末から前記保有コンテンツリストに登録されたコンテンツのストリーミング要請を受信する段階と、前記サーバが前記受信要請されたコンテンツのストリーミングデータを前記ユーザ端末に伝送する段階とを含み、前記ユーザ端末にストリーミングされるコンテンツは、前記実物コンテンツ商品の記録媒体に格納されたコンテンツよりも高画質に提供されることを特徴とする。
【００１０】
また、前記サーバがユーザの前記実物コンテンツ商品の購買を認証した時点から所定時間が経過した後、前記ユーザ端末にログインされた前記ユーザアカウントが有料会員アカウントである場合、前記保有コンテンツリストをストリーミング可能状態に維持し、前記ユーザアカウントが無料会員アカウントである場合、前記保有コンテンツリストをストリーミング不可能状態へ切り替える段階を更に含む。
【００１１】
更に、前記サーバが前記ユーザ端末にログインされたユーザアカウントが有料会員アカウントである場合、前記ユーザ端末の保有コンテンツリストに有料会員用コンテンツを追加的に登録する段階を更に含む。
【００１２】
また、前記サーバが前記実物コンテンツ商品の購買を認証したユーザアカウントのプロファイル情報、前記実物コンテンツ商品の情報、コンテンツのストリーミングを要請したユーザアカウントのプロファイル情報、及び前記ストリーミングを要請したコンテンツの情報を収集し、ビッグデータ格納場所に格納する段階を更に含む。
【００１３】
更に、前記サーバが前記ビッグデータ格納場所に格納された情報を分析し、コンテンツ消費傾向に関する統計情報を生成する段階を更に含む。
【００１４】
また、前記ＱＲコード（登録商標）は、前記実物コンテンツ商品のパッケージ内部又は記録媒体の少なくとも１つの面にプリントされる。
【００１５】
更に、前記コンテンツはテキスト、音声、イメージ又は映像のうち１つ以上のデータを含んで構成される。
【００１６】
この他にも、本発明を実現するための他の方法、他のシステム及び前記方法を実行するためのコンピュータプログラムを記録するコンピュータ読み取り可能な記録媒体を更に提供することができる。
【００１７】
本発明の他の実施形態に係るＱＲコード（登録商標）を用いてコンテンツストリーミングサービスを提供するプログラムは、ハードウェアであるコンピュータと結合され、前記言及された実物コンテンツ商品の購買の認証を通じたストリーミングサービス提供方法を実行し、媒体に格納される。
【発明の効果】
【００１８】
前記のような本発明によれば、ＱＲコード（登録商標）を通じて実物コンテンツ商品の購買を認証したユーザがユーザの端末を介してコンテンツをストリーミングし、いつでもどこでもコンテンツを視聴できるようにするという効果を奏する。
【００１９】
また、本発明によれば、実物コンテンツ商品よりも高画質のストリーミングサービスを提供することによって、ＤＶＤなどの画質の限界を克服し、消費者のニーズを充足させるという効果がある。
【００２０】
更に、本発明によれば、１個のＱＲコード（登録商標）当たり１個の端末のみ認証可能にして不正コピー及び流通を防止し、コンテンツストリーミングの同時接続トラフィック管理を容易にするという効果がある。
【００２１】
また、本発明によれば、１個のＱＲコード（登録商標）で商品購買の認証、コンテンツストリーミング、コンテンツダウンロード、ユーザ管理、ユーザ統計情報の生成と管理を可能にするという効果がある。
【００２２】
本発明の効果は、以上で言及された効果に制限されず、言及されていない他の効果は、以下の記載から通常の技術者が明確に理解できるはずである。
【図面の簡単な説明】
【００２３】
【図１】本発明の実施形態に係るストリーミングサービスを示す概略図である。
【図２】本発明の実施形態に係るストリーミングサービスの流れを示す順序図である。
【図３】本発明の実施形態に係るユーザの保有コンテンツリストを示す例示図である。
【図４】本発明の実施形態に係るユーザの保有コンテンツリストを示す例示図である。
【図５】本発明の実施形態に係るユーザの保有コンテンツリストを示す例示図である。
【図６】本発明の他の実施形態に係る無料会員の保有コンテンツリストを示す例示図である。
【図７】本発明の実施形態に係るストリーミングサーバのブロック図である。
【発明を実施するための形態】
【００２４】
本発明の利点及び特徴、そしてそれらを達成する方法は、添付の図面と共に詳細に後述されている実施形態を参照すれば明確になる。しかし、本発明は、以下で開示される実施形態に制限されるものではなく、互いに異なる多様な形態で実現することができる。但し、本実施形態は、本発明の開示が完全なようにし、本発明が属する技術分野において通常の技術者に本発明の範疇を完全に理解させるために提供されるものであり、本発明は、請求の範囲の範疇により定義されるに過ぎない。
【００２５】
本明細書で用いられた用語は、実施形態を説明するためのものであり、本発明を制限しようとするものではない。本明細書において、単数形は特に言及しない限り、複数形も含む。明細書で用いられる「含む（ｃｏｍｐｒｉｓｅｓ）」及び／又は「含んでいる（ｃｏｍｐｒｉｓｉｎｇ）」は、言及された構成要素以外に１つ以上の他の構成要素の存在又は追加を排除しない。明細書全体に亘って同一の図面符号は同一の構成要素を示し、「及び／又は」は言及された構成要素のそれぞれ及び１つ以上のあらゆる組み合わせを含む。たとえ、「第１」、「第２」などが多様な構成要素を叙述するために用いられていても、これらの構成要素は、これらの用語により制限されないことは勿論である。これらの用語は、単に１つの構成要素を他の構成要素と区別するために用いるものである。従って、以下で言及される第１構成要素は、本発明の技術的思想内で第２構成要素であることもできることは勿論である。
【００２６】
他の定義がなければ、本明細書で用いられるあらゆる用語（技術及び科学的用語を含む）は、本発明が属する技術分野において通常の技術者が共通して理解できる意味として用いられることができる。また、一般に用いられる辞典に定義されている用語は、明白に特に定義されていない限り、理想的に又は過度に解釈されない。
【００２７】
本明細書における「コンテンツ」とは、テキスト、音声、イメージ又は映像などのデータで構成されて流通される文化芸術情報を意味する。本明細書における「ストリーミング」とは、データをリアルタイムで受信しながら再生する技術を意味する。
【００２８】
以下、添付の図面を参照して本発明の実施形態を詳細に説明する。
【００２９】
図１は、本発明の実施形態に係るストリーミングサービスを示す概略図である。
【００３０】
図１を参照して本発明の実施形態に係るストリーミングサービスを簡略に説明する。
【００３１】
ユーザ端末５００の撮影手段を介して実物コンテンツ商品３００のＱＲコード（登録商標）をスキャンし、ユーザ端末５００がＱＲコード（登録商標）のスキャンデータをサーバ１００に伝送する。
【００３２】
サーバ１００がユーザ端末５００から受信したスキャンデータに基づいてユーザの実物コンテンツ商品３００の購買を認証し、相応するコンテンツをユーザの購買リストに格納する。
【００３３】
そして、ユーザの要請に応じてサーバ１００がユーザ端末５００にストリーミングサービスを提供し、ユーザがユーザ端末５００を介してコンテンツを鑑賞する。
【００３４】
従って、ユーザは、スマートフォン、タブレットＰＣのようなモバイル機器、ウエアラブル機器を通じても本人が購入したコンテンツを鑑賞できるようになる。
【００３５】
このとき、ＱＲコード（登録商標）は、実物コンテンツ商品３００のパッケージ内部又は記録媒体の少なくとも１つの面にプリントされている。これにより、実際の購買が行われ、実物コンテンツ商品３００のパッケージを開ける前にはＱＲコード（登録商標）が外部に流出しないようにするという効果がある。また、コンテンツにウォーターマークを付加して不法流通を制限できる。
【００３６】
図２は、本発明の実施形態に係るストリーミングサービスの流れを示す順序図であり、図３〜図５は、本発明の実施形態に係るユーザの保有コンテンツリストを示す例示図であり、図６は、本発明の他の実施形態に係る無料会員の保有コンテンツリストを示す例示図である。
【００３７】
図２を参照して本発明の実施形態に係るストリーミングサービスの流れについて説明する。
【００３８】
まず、サーバ１００が実物コンテンツ商品３００にプリントされたＱＲコード（登録商標）のスキャンデータをユーザ端末５００から受信する。（Ｓ５１０段階）
【００３９】
一般に、スマートフォン、タブレットＰＣなどのような端末は、撮影手段を備えているため、スキャンデータは、ＱＲコード（登録商標）を撮影してスキャンすることで獲得されたデータを意味する。Ｓ５１０段階の後に、サーバ１００がスキャンデータに基づいてユーザの実物コンテンツ商品３００の購買を認証し、スキャンデータを伝送したユーザ端末５００の固有情報をサーバ１００に登録する。（Ｓ５２０段階）
【００４０】
このとき、それぞれの実物コンテンツ商品３００には、互いに異なるＱＲコード（登録商標）がプリントされており、サーバ１００が実物コンテンツ商品３００の購買を認証すると、スキャンデータを伝送したユーザ端末５００の固有情報をサーバ１００に登録し、該当ＱＲコード（登録商標）が他のユーザ又は端末で認証されるのを遮断するようにする。
【００４１】
これにより、それぞれのＱＲコード（登録商標）は、１個の端末でのみ認証可能であり、不正コピー及び不法流通を防止するという効果がある。
【００４２】
このとき、端末の固有情報は、端末のＩＭＥＩ又はＭＡＣ Ａｄｄｅｓｓのようにそれぞれの端末に付与されている固有の番号、コードなどの識別子を意味する。
【００４３】
他の実施形態として、ユーザがスマートフォンの買い替えのようにユーザ端末５００を買い替える場合が発生し得るので、サーバ１００がユーザにユーザ端末５００の変更権限を付与するようにする。従って、サーバ１００がユーザ端末５００からユーザ端末５００の変更要請を受信する場合、サーバ１００がユーザ端末５００に既存のユーザ端末５００の固有情報及び新規ユーザ端末５００の固有情報の入力を要請し、ユーザ認証が完了すると、既存のユーザ端末５００の保有コンテンツリストを新規ユーザ端末５００へ移動させるようにする。
【００４４】
従って、既存のユーザ端末５００の保有コンテンツリストは削除され、新規ユーザ端末５００に保有コンテンツリストが表示されるようになり、継続してストリーミングサービスを利用できるようにするという効果がある。このとき、サーバ１００は、既存のユーザ端末５００の固有情報、新規ユーザ端末５００の固有情報と共に、ユーザアカウントの情報を確認し、ユーザが他のユーザにコンテンツを譲渡するのを防止するようにする。
【００４５】
Ｓ５２０段階の後に、サーバ１００がユーザ端末５００の保有コンテンツリストにスキャンデータに相応するコンテンツを登録する。（Ｓ５３０段階）
【００４６】
ユーザが購買した実物コンテンツ商品３００を高画質のストリーミングサービスで提供するためのものであるため、実物コンテンツ商品３００に相応する高画質のコンテンツを登録することが好ましい。
【００４７】
また、サーバ１００は、実物コンテンツ商品３００に相応するコンテンツとして、実物コンテンツ商品３００の音楽リスト、ミュージックビデオ、映像リスト、アルバムジャケットのような写真、コンサート映像などをユーザ端末５００の保有コンテンツリストに格納することができる。
【００４８】
Ｓ５３０段階の後に、サーバ１００がユーザ端末５００から保有コンテンツリストに登録されたコンテンツのストリーミング要請を受信する。（Ｓ５４０段階）
【００４９】
ユーザは、ユーザ端末５００を介してサーバ１００に接続してユーザ端末５００の保有コンテンツリストを確認し、特定コンテンツを選択してストリーミングを受けることができる。
【００５０】
従って、サーバ１００は、ユーザ端末５００から保有コンテンツリストに登録されたコンテンツのストリーミング要請を受信し、サーバ１００の格納部にあるコンテンツファイルを選択するようにする。
【００５１】
Ｓ５４０段階の後に、サーバ１００が受信要請されたコンテンツのストリーミングデータをユーザ端末５００に伝送する。（Ｓ５５０段階）
【００５２】
より詳細には、ユーザから要請を受けたコンテンツに該当するストリーミングデータをサーバ１００がユーザ端末５００に伝送し、ユーザがリアルタイムでストリーミングサービスを利用できるようにする。
【００５３】
そして、ユーザ端末５００にストリーミングされるコンテンツは、実物コンテンツ商品３００の記録媒体に格納されたコンテンツよりも高画質に提供されることを特徴とする。
【００５４】
例えば、ＤＶＤはＳＤ画質として７２０×４８０のような画質を提供するようになるが、近年はストリーミングサービスで１０８０ｐのＨＤ画質、２Ｋ、４Ｋのような超高解像度の画質が提供されているため、ユーザが相対的に低い画質により、がっかりする恐れがある。
【００５５】
従って、本発明の実施形態に係るストリーミングサーバ１００は、実物コンテンツ商品３００よりも高画質のストリーミングサービスを提供し、消費者のニーズを満足させるという効果がある。
【００５６】
また、ユーザ端末５００をビームプロジェクタ、テレビ、モニタのように大画面のディスプレイ装置と接続し、ストリーミング映像を表示することができる。
【００５７】
更に、悪意のあるユーザがコンテンツを録音、録画、ダウンロードして不正配布するのを防止するために、サーバ１００がユーザ端末５００をリアルタイムで監視し、ユーザ端末５００が他のプログラムを利用して録音、録画、ダウンロードを試みるのを遮断するようにする。
【００５８】
従って、サーバ１００がリアルタイム監視を通じてユーザ端末５００の録音、録画、ダウンロードの試みを発見する場合、直ちにストリーミングデータの伝送を中断し、ユーザ端末５００に警告メッセージを提供するようにする。
【００５９】
更に他の実施形態として、サーバ１００は、ストリーミングデータの伝送中にユーザ端末５００を介した録音、録画、又はダウンロードの試みを検知する場合、ストリーミングデータの伝送を中断し、前記試みが既に設定された回数以上検知される場合、該当コンテンツをユーザ端末５００の保有コンテンツリストから削除する段階を更に含むことができる。
【００６０】
そして、サーバ１００がユーザの実物コンテンツ３００商品の購買を認証した時点から所定時間が経過した後、ユーザ端末５００にログインされたユーザアカウントが有料会員アカウントである場合、保有コンテンツリストをストリーミング可能状態に維持し、ユーザアカウントが無料会員アカウントである場合、保有コンテンツリストをストリーミング不可能状態へ切り替えるようにする段階を更に含む。
【００６１】
例えば、図３を参照すると、ユーザアカウントのＩＤがＵＳＥＲ１２と表示されており、その隣に有料会員が表示されているため、該当ユーザ端末５００の保有コンテンツリストはストリーミング可能状態に維持され、ユーザがストリーミングサービスを利用できる。
【００６２】
そして、図４を参照すると、ユーザアカウントのＩＤがＵＳＥＲ１３と表示されており、無料会員であることが確認され、該当ユーザ端末５００の保有コンテンツリストがストリーミング不可能状態（非活性化）になっていることが分かる。
【００６３】
また、サーバ１００が、ユーザ端末５００にログインされたユーザアカウントが有料会員アカウントである場合、ユーザ端末５００の保有コンテンツリストに有料会員用コンテンツを追加的に登録する段階を更に含むことができる。
【００６４】
例えば、図５は、ユーザが実物コンテンツ３００を購買した歌手のコンサート映像が有料会員用のコンテンツとして提供されることを示している。
【００６５】
サーバ１００は有料会員にベネフィットを提供するために、一般に実物コンテンツ商品３００に含まれていない特別なコンテンツを有料会員に提供し、無料会員らの有料会員登録を誘導できる。
【００６６】
このとき、特別なコンテンツは、一般にウェブ上で得られ難いアーティストらの映像になり得、例えば歌手のコンサート映像、ビハインド映像、ティーザー映像のような映像を適用することができる。
【００６７】
更に別の実施形態として、図６に示すように、サーバ１００は無料会員の保有コンテンツリストに残余再生回数、残余再生時間を表示できる。
【００６８】
従って、無料会員は、図６に示すように、Ｃ歌手の正規５集アルバムを２回ストリーミングでき、２回を超過すると、ストリーミングが非活性化されて保有コンテンツリストがストリーミング不可能状態へ切り替わり、有料会員登録のメッセージが表示されることができる。
【００６９】
そして、サーバ１００が実物コンテンツ商品３００の購買を認証したユーザアカウントのプロファイル情報、実物コンテンツ３００商品の情報、コンテンツのストリーミングを要請したユーザアカウントのプロファイル情報、及びストリーミングを要請したコンテンツの情報を収集し、ビッグデータ格納場所１６０に格納する段階を更に含むことができる。
【００７０】
次に、サーバ１００がビッグデータ格納場所１６０に格納された情報を分析し、コンテンツ消費傾向に関する統計情報を生成する段階を更に含むことができる。
【００７１】
このとき、ユーザアカウントのプロファイル情報は、ユーザの国家、年齢、性別、アドレス、職業のうち少なくとも１つを含むことができる。また、プロファイル情報は、ユーザが好むアーティスト、好むコンテンツ（例えば、Ｋ ＰＯＰ、ＰＯＰ、Ｈｉｐ-Ｈｏｐ、Ｃｌａｓｓｉｃなどのような音楽種類）に関する情報を含むことができる。
【００７２】
従って、サーバ１００が国家別、年令別、性別などに応じて好むコンテンツ、購買するコンテンツ、ストリーミングするコンテンツのようなビッグデータを収集し、ビッグデータを分析して統計情報を生成することによって、今後のコンテンツ管理、顧客管理などに活用できる。
【００７３】
図７は、本発明の実施形態に係るストリーミングサーバ１００のブロック図である。
【００７４】
図７を参照して本発明の実施形態に係るストリーミングサーバ１００について説明する。
【００７５】
このとき、前記図２を通じて説明した事項については重複説明を省略する。
【００７６】
本発明の実施形態に係るストリーミングサーバ１００は、通信モジュール１１０、認証モジュール１２０、登録モジュール１３０、格納モジュール１５０、管理モジュール１４０、ビッグデータ格納場所１６０及び統計モジュール１７０を含む。
【００７７】
通信モジュール１１０は、サーバ１００とユーザ端末５００を有線又は無線で接続してデータを送受信する。
【００７８】
より詳細には、通信モジュール１１０は、実物コンテンツ商品３００にプリントされたＱＲコード（登録商標）のスキャンデータを受信する。
【００７９】
認証モジュール１２０は、通信モジュール１１０を介してユーザ端末５００から受信したスキャンデータに基づいてユーザの実物コンテンツ商品３００の購買を認証する。
【００８０】
そして、登録モジュール１３０は、スキャンデータを伝送したユーザ端末５００の固有情報をサーバ１００に登録し、ユーザ端末５００の保有コンテンツリストにスキャンデータに相応するコンテンツを登録する。
【００８１】
その後、ユーザは、ユーザ端末５００を介して本人の保有コンテンツリストを確認し、特定コンテンツを選択してストリーミングサービスを受けるようになる。
【００８２】
従って、通信モジュール１１０は、ユーザ端末５００から保有コンテンツリストに登録されたコンテンツのストリーミング要請を受信し、要請されたコンテンツのストリーミングデータをユーザ端末５００に伝送する。
【００８３】
このとき、管理モジュール１４０は、ユーザアカウントの有料会員の有無を確認し、ユーザ端末５００の固有情報を確認してストリーミングの可否をチェックする。
【００８４】
また、管理モジュール１４０は、ユーザ端末５００を介して選択された画質を確認し、通信モジュール１１０が該当画質のストリーミングデータをユーザ端末５００に伝送するようにする。
【００８５】
このとき、画質の選択を受ける理由は、ユーザの通信環境に応じて２Ｋ、４Ｋのような超高画質のストリーミングサービスを利用できなくなる可能性もあるため、これよりは若干低い７８０ＨＤ、１０８０ＨＤのような画質を選択する場合があり得るためである。
【００８６】
格納モジュール１５０には、各種コンテンツのストリーミングデータ、有料会員用コンテンツが格納されている。
【００８７】
ビッグデータ格納場所１６０は、実物コンテンツ商品３００の購買を認証したユーザアカウントのプロファイル情報、実物コンテンツ商品３００の情報、コンテンツのストリーミングを要請したユーザアカウントのプロファイル情報及びストリーミングを要請したコンテンツの情報を収集して格納する。
【００８８】
統計モジュール１７０は、ビッグデータ格納場所１６０に格納された情報を分析し、コンテンツ消費傾向に関する統計情報を生成する。
【００８９】
以上で前述した本発明の一実施形態に係る実物コンテンツ商品の購買の認証を通じたストリーミングサービスの提供方法は、ハードウェアであるサーバと結合されて実行されるためにプログラム（又はアプリケーション）で実現し、媒体に格納されることができる。
【００９０】
前述したプログラムは、前記コンピュータがプログラムを読み込み、プログラムで実現した前記方法を実行させるために、前記コンピュータのプロセッサ（ＣＰＵ）が前記コンピュータの装置インターフェースを介して読み取られるＣ、Ｃ++、ＪＡＶＡ（登録商標）、機械語などのコンピュータ言語でコード化されたコード（Ｃｏｄｅ）を含むことができる。このようなコードは、前記方法を実行する、必要な機能を定義した関数などと関連する機能的なコード（Ｆｕｎｃｔｉｏｎａｌ Ｃｏｄｅ）を含むことができ、前記機能を前記コンピュータのプロセッサが所定の手順通りに実行させるのに必要な実行手順関連の制御コードを含むことができる。また、このようなコードは、前記機能を前記コンピュータのプロセッサが実行させるのに必要な追加の情報やメディアが前記コンピュータの内部又は外部メモリのどの位置（アドレス）で参照されるべきかに対するメモリ参照関連のコードを更に含むことができる。また、前記コンピュータのプロセッサが前記機能を実行させるために遠隔（Ｒｅｍｏｔｅ）にある任意の他のコンピュータやサーバなどと通信が必要な場合、コードは前記コンピュータの通信モジュールを用いて遠隔にある任意の他のコンピュータやサーバなどとどのように通信すべきか、通信時に如何なる情報やメディアを送受信すべきかなどに対する通信関連のコードを更に含むことができる。
【００９１】
前記格納される媒体は、レジスタ、キャッシュ、メモリなどのように短い瞬間にデータを格納する媒体ではなく半永久的にデータを格納し、機器により読み取り（ｒｅａｄｉｎｇ）可能な媒体を意味する。具体的には、前記格納される媒体の例としては、ＲＯＭ、ＲＡＭ、ＣＤ-ＲＯＭ、磁気テープ、フロッピーディスク、光データ格納装置などが挙げられるが、これに制限されない。即ち、前記プログラムは、前記コンピュータが接続できる多様なサーバ上の多様な記録媒体又はユーザの前記コンピュータ上の多様な記録媒体に格納されることができる。また、前記媒体は、ネットワークで接続されたコンピュータシステムに分散され、分散方式によりコンピュータが読み取れるコードが格納されることができる。
【００９２】
本発明の実施形態と関連して説明された方法又はアルゴリズムの段階は、ハードウェアで直接実現するか、ハードウェアにより実行されるソフトウェアモジュールで実現するか、又はこれらの結合により実現することができる。ソフトウェアモジュールは、ＲＡＭ（Ｒａｎｄｏｍ Ａｃｃｅｓｓ Ｍｅｍｏｒｙ）、ＲＯＭ（Ｒｅａｄ Ｏｎｌｙ Ｍｅｍｏｒｙ）、ＥＰＲＯＭ（Ｅｒａｓａｂｌｅ Ｐｒｏｇｒａｍｍａｂｌｅ ＲＯＭ）、ＥＥＰＲＯＭ（Ｅｌｅｃｔｒｉｃａｌｌｙ Ｅｒａｓａｂｌｅ Ｐｒｏｇｒａｍｍａｂｌｅ ＲＯＭ）、フラッシュメモリ（Ｆｌａｓｈ Ｍｅｍｏｒｙ）、ハードディスク、着脱型ディスク、ＣＤ-ＲＯＭ、又は本発明が属する技術分野において周知されている任意の形態のコンピュータ読み取り可能な記録媒体に常に存在することもできる。
【００９３】
以上、添付の図面を参照して本発明の実施形態を説明したが、本発明が属する技術分野において通常の技術者は、本発明がその技術的思想や必須な特徴を変更することなく、他の具体的な形態で実施され得るということが理解できるはずである。従って、以上で記述した実施形態は、あらゆる面で例示的なものであり、制約的ではないものとして理解すべきである。
【符号の説明】
【００９４】
１００  サーバ                   
１１０  通信モジュール
１２０  認証モジュール           
１３０  登録モジュール
１４０  管理モジュール           
１５０  格納モジュール
１６０  ビッグデータ格納場所     
１７０  統計モジュール
３００  実物コンテンツ           
５００  ユーザ端末
【図１】
2019191877.tif 000003
【図２】
2019191877.tif 000004
【図３】
2019191877.tif 000005
【図４】
2019191877.tif 000006
【図５】
2019191877.tif 000007
【図６】
2019191877.tif 000008
【図７】
2019191877.tif 000009
【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
サーバにより実現される方法であって、
実物コンテンツ商品にプリントされたＱＲコード（登録商標）のスキャンデータをユーザ端末から受信する段階と、
前記スキャンデータを基にユーザの前記実物コンテンツ商品の購買を認証し、前記スキャンデータを伝送したユーザ端末の固有情報をサーバに登録する購買認証段階と、
前記ユーザ端末の保有コンテンツリストに前記スキャンデータに相応するコンテンツを登録する段階と、
前記ユーザ端末から前記保有コンテンツリストに登録されたコンテンツのストリーミング要請を受信する段階と、
前記ストリーミング要請されたコンテンツのストリーミングデータを前記ユーザ端末に伝送する段階と、
前記実物コンテンツ商品の購買を認証したユーザアカウントのプロファイル情報、前記実物コンテンツ商品の情報、コンテンツのストリーミングを要請したユーザアカウントのプロファイル情報、及び前記ストリーミングを要請したコンテンツの情報を収集し、ビッグデータ格納場所に格納する段階と、
前記ビッグデータ格納場所に格納された情報を分析し、コンテンツ消費傾向に関する統計情報を生成する段階とを含み、
前記ユーザ端末にストリーミングされるコンテンツは、前記実物コンテンツ商品の記録媒体に格納されたコンテンツよりも高画質に提供され、
前記サーバは、
前記ＱＲコード（登録商標）が他のユーザ又は端末で認証されるのを遮断し、
前記ユーザ端末の変更要請を受信する場合、前記ユーザ端末の前記固有情報及び新規ユーザ端末の固有情報の入力を要請し、ユーザ認証が完了すると、前記保有コンテンツリストを前記新規ユーザ端末に移動させ、
前記ユーザ端末をリアルタイム監視して、前記ユーザ端末から前記コンテンツに対する録音、録画又はダウンロードの試みを発見した場合、前記コンテンツのストリーミングデータの伝送を中断する、
ＱＲコード（登録商標）を用いてコンテンツストリーミングサービスを提供し、ユーザのデータ統計を管理する方法。
【請求項２】
前記サーバがユーザの前記実物コンテンツ商品の購買を認証した時点から所定時間が経過した後、前記ユーザ端末にログインされたユーザアカウントが有料会員アカウントである場合、前記保有コンテンツリストをストリーミング可能状態に維持し、前記ユーザアカウントが無料会員アカウントである場合、前記保有コンテンツリストをストリーミング不可能状態へ切り替える段階を更に含むことを特徴とする請求項１に記載のＱＲコード（登録商標）を用いてコンテンツストリーミングサービスを提供し、ユーザのデータ統計を管理する方法。
【請求項３】
前記サーバが前記ユーザ端末にログインされた前記ユーザアカウントが有料会員アカウントである場合、前記ユーザ端末の保有コンテンツリストに有料会員用コンテンツを追加的に登録する段階を更に含むことを特徴とする請求項２に記載のＱＲコード（登録商標）を用いてコンテンツストリーミングサービスを提供し、ユーザのデータ統計を管理する方法。
【請求項４】
前記ＱＲコード（登録商標）は、前記実物コンテンツ商品のパッケージ内部又は記録媒体の少なくとも１つの面にプリントされたことを特徴とする請求項１に記載のＱＲコード（登録商標）を用いてコンテンツストリーミングサービスを提供し、ユーザのデータ統計を管理する方法。
【請求項５】
前記コンテンツはテキスト、音声、イメージ又は映像のうち１つ以上のデータを含んで構成されることを特徴とする請求項１に記載のＱＲコード（登録商標）を用いてコンテンツストリーミングサービスを提供し、ユーザのデータ統計を管理する方法。
【請求項６】
コンピュータと結合され、請求項１〜請求項５の何れか１項に記載の方法を用いてコンテンツストリーミングサービスを提供し、ユーザのデータ統計を管理する方法を実行するためにコンピュータ読み取り可能な記録媒体に格納されたコンピュータプログラム。